【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
予め定められた変動表示の実行条件が成立したことに基づいて各々が識別可能な識別情報の変動表示を行なって表示結果を導出表示する第１変動表示手段および第２変動表示手段を有し、前記第１変動表示手段または前記第２変動表示手段に予め定められた特定表示結果が導出表示されたときに遊技者にとって有利な特定遊技状態に制御される遊技機であって、
前記第１変動表示手段における変動表示の実行条件の成立数を計数する第１計数手段と、
前記第２変動表示手段における変動表示の実行条件の成立数を計数する第２計数手段と、
前記識別情報の表示結果を前記特定表示結果とするか否かを当該表示結果の導出表示前に決定する事前決定手段と、
前記第１計数手段によって計数された成立数と前記第２計数手段によって計数された成立数とをそれぞれ特定可能に表示するとともに、前記第１変動表示手段または前記第２変動表示手段のいずれにおける変動表示の実行条件の成立かを表示する実行条件成立数表示手段と、
前記第１変動表示手段による変動表示が実行されるときの変動表示開始時から変動表示終了時までの変動表示時間を特定可能な変動パターンを複数の変動パターンから決定する第１変動パターン決定手段と、
前記第２変動表示手段による変動表示が実行されるときの変動表示開始時から変動表示終了時までの変動表示時間を特定可能な変動パターンを複数の変動パターンから決定する第２変動パターン決定手段とを含み、
前記第１変動パターン決定手段および前記第２変動パターン決定手段は、前記事前決定手段により変動表示の結果を前記特定表示結果とすると決定されたときにおいては、当該変動表示の変動パターンを、リーチ態様を含む変動パターンに決定し、
前記事前決定手段により変動表示の結果を前記特定表示結果としないと決定されたときにおいては、前記第１変動パターン決定手段と前記第２変動パターン決定手段とで、当該変動表示の変動パターンを前記リーチ態様を含む変動パターンに選択する割合を異ならせたことを特徴とする、遊技機。
【手続補正２】
【補正対象書類名】明細書
【補正対象項目名】０００７
【補正方法】変更
【補正の内容】
【０００７】
（１）  予め定められた変動表示の実行条件（第１始動入賞口１３，第２始動入賞口１４への遊技球の入賞）が成立したことに基づいて各々が識別可能な識別情報の変動表示を行なって表示結果を導出表示する第１変動表示手段（特別図柄表示器８ａ）および第２変動表示手段（第２特別図柄表示器８ｂ）を有し、前記第１変動表示手段または前記第２変動表示手段に予め定められた特定表示結果（大当り表示結果）が導出表示されたときに遊技者にとって有利な特定遊技状態（大当り遊技状態）に制御される遊技機（パチンコ遊技機１）であって、
前記第１変動表示手段における変動表示の実行条件の成立数（第１保留記憶数）を計数する第１計数手段（遊技制御用マイクロコンピュータ５６０、第１特別図柄プロセス処理での図２２のＳ１１２）と、
前記第２変動表示手段における変動表示の実行条件の成立数（第２保留記憶数）を計数する第２計数手段（遊技制御用マイクロコンピュータ５６０、第２特別図柄プロセス処理でのＳ１１２に相当するステップ）と、
前記識別情報の表示結果を前記特定表示結果とするか否かを当該表示結果の導出表示前に決定する事前決定手段（遊技制御用マイクロコンピュータ５６０、第１特別図柄プロセス処理での図２５のＳ６２、第２特別図柄プロセス処理でのＳ６２に相当するステップ）と、
前記第１計数手段によって計数された成立数と前記第２計数手段によって計数された成立数とをそれぞれ特定可能に表示する（図３８の第１保留記憶と第２保留記憶とを区別可能な丸印を表示すること）とともに、前記第１変動表示手段または前記第２変動表示手段のいずれにおける変動表示の実行条件の成立かを表示する（図４９のＳ９０１，Ｓ９０２，Ｓ９０４，Ｓ９０７）実行条件成立数表示手段（合算保留記憶表示部１８ｃ）と、
前記第１変動表示手段による変動表示が実行されるときの変動表示開始時から変動表示終了時までの変動表示時間を特定可能な変動パターンを複数の変動パターン（図1０、図１１の変動パターン）から決定する第１変動パターン決定手段（遊技制御用マイクロコンピュータ５６０、第１特別図柄プロセス処理での図２５のＳ７７，Ｓ７８）と、
前記第２変動表示手段による変動表示が実行されるときの変動表示開始時から変動表示終了時までの変動表示時間を特定可能な変動パターンを複数の変動パターンから決定する第２変動パターン決定手段（遊技制御用マイクロコンピュータ５６０、第２特別図柄プロセス処理でのＳ７７，Ｓ７８に相当するステップ）とを含み、
前記第１変動パターン決定手段および前記第２変動パターン決定手段は、前記事前決定手段により変動表示の結果を前記特定表示結果とすると決定されたときにおいては、当該変動表示の変動パターンを、リーチ態様を含む変動パターン（変動パターン＃２〜＃４、＃６〜＃８）に決定し、
前記事前決定手段により変動表示の結果を前記特定表示結果としないと決定されたときにおいては、前記第１変動パターン決定手段と前記第２変動パターン決定手段とで、当該変動表示の変動パターンを前記リーチ態様を含む変動パターンに選択する割合を異ならせた（図１１）。
【手続補正３】
【補正対象書類名】明細書
【補正対象項目名】０００８
【補正方法】変更
【補正の内容】
【０００８】
このような構成によれば、第１変動表示手段による変動表示が実行されるときの変動パターンを決定する第１変動パターン決定手段と、第２変動表示手段による変動表示が実行されるときの第２変動パターン決定手段とでは、変動表示の結果を特定表示結果としないと決定されたときにおいて、変動表示の変動パターンをリーチ態様を含む変動パターンに選択する割合が異なる。これにより、リーチ態様を含む変動パターンが選択される割合が低い方の変動表示手段による変動表示については、リーチ態様を含む変動パターンが選択される割合が高い方の変動表示手段による変動表示と比べて、リーチ態様を含む変動パターンとなったときに大当りとなる信頼度が高い。このため、リーチ態様を含む変動パターンが選択される割合が低い方の変動表示手段による変動表示については、リーチ態様を含む変動パターンで変動表示が行なわれることが、変動表示の結果が特定表示結果となることを予告している演出であるかのような印象を遊技者に与えることができ、遊技者の期待感を高めることができる。そして、実行条件成立数表示手段により、第１計数手段によって計数された第１変動表示手段における変動表示の実行条件の成立数と、第２計数手段によって計数された第２変動表示手段における変動表示の実行条件の成立数とがそれぞれ特定可能に表示されるとともに、第１変動表示手段または第２変動表示手段のいずれにおける変動表示の実行条件の成立かが表示される。これにより、リーチ態様を含む変動パターンが選択される割合が低い方の変動表示手段での変動表示と、その割合が高い方の変動表示手段での変動表示とについて、どちらの変動表示の実行条件が成立したかが明確に区別できる。したがって、リーチ態様を含む変動パターンが選択される割合が低い方の変動表示手段でリーチ態様を含む変動パターンが実行されたときに、変動表示の結果が特定表示結果となることを予告している演出であるかのような印象を遊技者に与えることができる。また、変動表示を実行するときに、実行条件の成立数の表示と、その実行条件の成立に基づいて行なわれる制御との対応関係について、遊技者に違和感を持たせないようにすることができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】